【事件の表示】
　特許第３３４１９０８号「電気掃除機の接続装置」の請求項１に係る特許に対する特許異議の申立てについて、次のとおり決定する。
【結　論】
　訂正を認める。
　特許第３３４１９０８号の請求項１に係る特許を維持する。
【理　由】
１．手続の経緯
　特許第３３４１９０８号「電気掃除機の接続装置」の請求項１に係る発明は、平成４年９月２２日に特許出願され、平成１４年８月２３日に設定登録がなされたものである。
　これに対し、特許異議申立人三菱電機株式会社により特許異議の申立てがなされ、取消しの理由が通知され、その指定期間内である平成１７年１月１４日に訂正請求がなされたものである。
　
２．訂正の適否についての判断
（１）訂正の内容
（訂正事項１）特許請求の範囲請求項１の記載について、
「前記挿入部を収容する接続部とを有する本体部」とある記載を、　　
「前記挿入部を収容する接続部とを有する
筒状の
　
（訂正事項２）特許請求の範囲請求項１の記載について、
「前記本体部との間に形成される収容空間を閉塞する蓋体部を備えた連結雌部とを具備していることを特徴とした電気掃除機の接続装置。」とある記載を、　
「前記本体部との間に形成される収容空間を閉塞する蓋体部を備えた連結雌部とを具備し
、前記開口部は、前記本体部の外周に互いに対向して形成され、前記係止部は、前記蓋体部の前記開口部に対向する位置のそれぞれに形成され
　
（訂正事項３）明細書の段落【０００７】の記載について、
「　【課題を解決するための手段】
　本発明の電気掃除機の接続装置は、外周面に周面に沿って溝部が設けられた筒状の挿入部を備えた連結雄部と、前記挿入部が挿入された際に前記溝部に連通する開口部と前記挿入部の外周面に内面が回転自在に当接して前記挿入部を収容する接続部とを有する本体部、およびこの本体部に装着されることにより前記開口部に挿通され前記接続部に挿入された前記挿入部の溝部を係止する係止部を有し前記本体部との間に形成される収容空間を閉塞する蓋体部を備えた連結雌部とを具備しているものである。」とある記載を、　
「　【課題を解決するための手段】
　本発明の電気掃除機の接続装置は、外周面に周面に沿って溝部が設けられた筒状の挿入部を備えた連結雄部と、前記挿入部が挿入された際に前記溝部に連通する開口部と前記挿入部の外周面に内面が回転自在に当接して前記挿入部を収容する接続部とを有する
筒状の
、前記開口部は、前記本体部の外周に互いに対向して形成され、前記係止部は、前記蓋体部の前記開口部に対向する位置のそれぞれに形成され
　
（２）訂正の目的の適否、新規事項の有無及び拡張・変更の存否
　訂正事項１に関し、本件の願書に添付した明細書（以下、「特許明細書」という。）には、「この接続管39は、上面を開口した本体部39a と、この本体部39a の上面開口を閉塞する下面を開口した蓋体部39b とよりなっている。」（段落【００１５】）、「そして、接続管39は、蓋体部39bの係止部47が本体部39aの接続部45の通孔46を挿通して連通管32の連結筒部36の溝部34に係合されて係止突部35に係止され、端子ピン42を取り付けた図示しないリード線が配設された本体部39aの上面を覆うように蓋体部39bが接合されて、これら本体部39aと蓋体部39bとの間に形成されリード線を収容させる収容空間を閉塞させ、蓋体部39bの上面に穿設されたねじ穴50を介して本体部39aの雌ねじ孔51にねじ止めされて接合形成され、連通管32の連結筒部36に回転自在に取り付けられている。」（段落【００１７】）と記載されており、さらに図１の記載を参酌すれば、「筒状の本体部」とすることは特許明細書に記載されているものと認められる。
　そうすると、上記訂正事項１に係る訂正は、特許明細書に記載された事項の範囲内において「本体部」の形状に関し「筒状の本体部」と限定したものであるから、特許請求の範囲の減縮を目的とするものであり、新規事項の追加に該当しない。
　
　訂正事項２に関し、特許明細書には、上記段落【００１７】ないし図１の記載に加え、「また、蓋体部39b には、接続部45の通孔に対応する位置の下面左右両側に下方に突出する係止部47が２つ形成されている。そして、この係止部47の内側面は、連通管32の連結筒部36の溝部34の周面に摺動可能に当接する凹弧状に切り欠かれた摺動面48が形成されている。さらに、一方の係止部47の基部には、リード線が係止部47の角部に当接して損傷することを防止するために、下方にコ字状の壁状に突出する保護壁部49が形成されている。」（段落【００１６】）、「このため、従来のように係止部材を必要とせず、本体部39aとの間に形成されるリード線収容用の収容空間を閉塞する蓋体部39bをこの本体部39aに装着させるのみで、接続管39と連通管32とを回動自在に連結できるから、組み立ておよび保守点検が容易にできるとともに、接続管39と連通管32とを確実に連結できる。
　また、部品数を減少できるため、製造コストを低減でき、製造工程を簡略化できる。さらに、接続管39と連通管32とを連結する係止部47が接続管39の蓋体部39bに一体的に設けたことにより、接続管39の回動を繰り返しても、連通管32の係止突部35に係止される係止部47が外れることなく、確実に接続管39を連通管32に連結できる。」（【００２９】〜【００３０】）と記載されており、「前記開口部は、前記本体部の外周に互いに対向して形成され、前記係止部は、前記蓋体部の前記開口部に対向する位置のそれぞれに形成され」とすることは、特許明細書に記載されているものと認められる。
　そうすると、上記訂正事項２に係る訂正は、特許明細書に記載された事項の範囲内において「開口部」の位置ないしその態様を「前記本体部の外周に互いに対向して形成され、」と限定し、また「係止部」の位置を「前記蓋体部の前記開口部に対向する位置のそれぞれに形成され」と限定したものであるから、特許請求の範囲の減縮を目的とするものであり、新規事項の追加に該当しない。
　
　訂正事項３に係る訂正は、上記訂正事項１ないし２に係る訂正に伴って、特許請求の範囲の記載と発明の詳細な説明の記載との整合を図るための訂正であって、明りょうでない記載の釈明を目的とするものであって、新規事項の追加に該当しない。
　　
　そして、上記訂正事項１〜３に係る訂正はいずれも実質上特許請求の範囲を拡張し、又は変更するものではない。
　
（３）むすび
　したがって、上記訂正事項１〜３に係る訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項及び第３項の規定に適合するので、当該訂正を認める。
　
　３．特許異議の申立てについての判断
（１）申立ての理由の概要
　特許異議申立人三菱電機株式会社は、請求項１に係る発明は、その出願前に日本国内又は外国において公然知られた発明であって、特許法第２９条第１項第１号の規定により特許を受けることができないものであるから、特許を取り消すべきであると主張している。
　
（２）本件発明
　　上記２．で示したように上記訂正が認められるから、本件の請求項１に係る発明（以下、「本件発明」という。）は、上記訂正請求に係る訂正明細書の特許請求の範囲の請求項１に記載されたとおりの以下のものである。　
　
「外周面に周面に沿って溝部が設けられた筒状の挿入部を備えた連結雄部と、前記挿入部が挿入された際に前記溝部に連通する開口部と前記挿入部の外周面に内面が回転自在に当接して前記挿入部を収容する接続部とを有する筒状の本体部、およびこの本体部に装着されることにより前記開口部に挿通され前記接続部に挿入された前記挿入部の溝部を係止する係止部を有し前記本体部との間に形成される収容空間を閉塞する蓋体部を備えた連結雌部とを具備し、前記開口部は、前記本体部の外周に互いに対向して形成され、前記係止部は、前記蓋体部の前記開口部に対向する位置のそれぞれに形成されていることを特徴とした電気掃除機の接続装置。」
　
（３）特許異議申立人が提出した証拠ないし証拠に係る発明
（証拠） 
検甲第１号証　：三菱電気掃除機「ＴＣ−９８０形」 
甲第１号証　　：検甲第１号証である三菱電気掃除機「ＴＣ−９８０形」を　　　　　　　　撮影した写真１〜１０ 
甲第２号証の１：製作図面Ｔ４３０Ｂ０３２ 
甲第２号証の２：製作図面Ｔ４２０Ｂ０５７　 
甲第２号証の３：製作図面Ｔ４２０Ｃ２６４ 
甲第２号証の４：製作図面Ｔ３２０Ｃ４０６ 
甲第３号証　　：製作図面Ｔ４３０Ｂ０３２、Ｔ４２０Ｂ０５７、Ｔ４２０　　　　　　　　Ｃ２６４、Ｔ３２０Ｃ４０６の各図面番号が記載されたフ　　　　　　　　ァミリーツリー 
甲第４号証　　：ＴＣ−９８０形掃除機用サービスハンドブック抜粋 
甲第５号証　　：検甲第１号証である三菱電気掃除機「ＴＣ−９８０形」の　　　　　　　　カタログ抜粋 
　
　上記の証拠からみて、検甲第１号証に係る発明は、
「外周面に周面に沿って溝部が設けられた筒状の挿入部を備えた連結雄部と、前記挿入部が挿入された際に前記溝部に連通する開口部と前記挿入部の外周面に内面が回転自在に当接して前記挿入部を収容する接続部とを有する筒状の本体部、およびこの本体部に装着されることにより前記開口部に挿通され前記接続部に挿入された前記挿入部の溝部を係止する係止部を有し前記本体部との間に形成される収容空間を閉塞する蓋体部を備えた連結雌部とを具備している電気掃除機の接続装置。」（以下、「引用発明」という。）と認められる。　
　
（４）対比・判断
　本件発明と引用発明とを対比すると、引用発明は、本件発明の構成要件である「前記開口部は、前記本体部の外周に互いに対向して形成され、前記係止部は、前記蓋体部の前記開口部に対向する位置のそれぞれに形成され」ている点を備えていない。
　
　したがって、本件発明は、引用発明と同一といえないから、特許法第２９条第１項第１号の規定により特許を受けることができないものとはいえない。
　
（５）むすび
　以上のとおりであるから、特許異議の申立ての理由及び証拠によっては本件発明についての特許を取り消すことはできない。
　また、他に本件発明についての特許を取り消すべき理由を発見しない。
　
　よって、結論のとおり決定する。
【異議決定日】
平成１７年２月３日（２００５．２．３）
【訂正の要旨】
審決（決定）の【理由】欄参照。
（５４）【発明の名称】
電気掃除機の接続装置
（５７）【特許請求の範囲】
　【請求項１】　外周面に周面に沿って溝部が設けられた筒状の挿入部を備えた連結雄部と、
　前記挿入部が挿入された際に前記溝部に連通する開口部と前記挿入部の外周面に内面が回転自在に当接して前記挿入部を収容する接続部とを有する
筒状の
、
　
前記開口部は、前記本体部の外周に互いに対向して形成され、
　
前記係止部は、前記蓋体部の前記開口部に対向する位置のそれぞれに形成されている
　ことを特徴とした電気掃除機の接続装置。
【発明の詳細な説明】
　【０００１】
　【産業上の利用分野】
　本発明は、連結雄部の挿入部と連結雌部の接続部とを回転自在に接続する電気掃除機の接続装置に関する。
　【０００２】
　【従来の技術】
　従来、この種の接続装置としては、例えば図１０に示す電気掃除機の吸込口本体の接続管の構成が知られている。
　【０００３】
　そして、この図１０に示す電機掃除機の吸込口本体は、横長矩形状に図示しないケース体を形成し、このケース体の後部中央に、連通管７１を回動軸７２により上下方向の所定角度に回動自在に取り付けている。一方、連通管７１の後端部には、ケース体から後側外方へ突出し、外周面に環状の溝部７３を有する円筒状の連結筒部７４が形成され、この連結筒部７４には、屈曲した接続管７５の前端部が接合されている。
　【０００４】
　そして、この接続管７５は、長手方向に沿って円筒状の風路７６を有し上面を開口した本体部７５ａと、この本体部７５ａの上面開口を閉塞する蓋体部７５ｂとをねじ止めにより接合形成してなり、風路７６の一端には連通管７１の連結筒部７４を回動自在に嵌合する接続部７７を形成している。さらに、この接続部７７の上下に連通管７１の連結筒部７４の溝部７３に位置して円周方向に細長い通孔７８を形成している。そして、この通孔７８の縁に係止する爪部７９ａと連結筒部７４の溝部７３に摺動自在に係合する係止部７９ｂとを有した係止部材７９が通孔７８より取り付けられて、接続管７５が回動自在に連通管７１に取り付けられている。
　【０００５】
　【発明が解決しようとする課題】
　しかしながら、上記の電気掃除機の吸込口本体において、接続管７５を連通管７１に回動自在に取り付けるために細かい構造の係止部材７９が必要で、この係止部材７９を製造するコストが増大し、製造性も低下する問題がある。また、部品数が多いために、組立工程および保守点検が煩雑となる問題も有している。さらに、接続管７５の回動時に、係止部材７９の爪部７９ａが連結筒部７４の溝部７３と係止部材７９の係止部９７ｂとの摩擦により通孔７８の縁より外れて、接続管７５が抜け落ちるおそれもある。
　【０００６】
　本発明は、上記問題点に鑑み、組立工程および保守点検が容易で安価に製造でき、連結雄部と連結雌部とを回転自在に確実に連結できる電気掃除機の接続装置を提供することを目的とする。
　【０００７】
　【課題を解決するための手段】
　本発明の電気掃除機の接続装置は、外周面に周面に沿って溝部が設けられた筒状の挿入部を備えた連結雄部と、前記挿入部が挿入された際に前記溝部に連通する開口部と前記挿入部の外周面に内面が回転自在に当接して前記挿入部を収容する接続部とを有する
筒状の
、前記開口部は、前記本体部の外周に互いに対向して形成され、前記係止部は、前記蓋体部の前記開口部に対向する位置のそれぞれに形成されている
　【０００８】
　【作用】
　本発明の電気掃除機の接続装置は、連結雄部の筒状の挿入部を連結雌部の本体部の接続部に挿入させて、この接続部の内面を連通雄部の挿入部に回転自在に当接させることにより、この本体部の開口部が連結雄部の挿入部に設けた溝部に連通する。この状態で、この本体部に連結雌部の蓋体部を装着することにより、この本体部と蓋体部との間に形成される収容空間が蓋体部により閉塞されるとともに、この蓋体部の係止部が本体部の開口部を挿通して連結雄部の挿入部の溝部を係止する。この結果、連通雌部の接続部に挿入された連結雄部の挿入部が回動自在に接続される。このため、本体部との間に形成される収容空間を閉塞する蓋体部をこの本体部に装着させるのみで、連結雄部と連結雌部とを回動自在に連結できるから、組み立ておよび保守点検が容易にできるとともに、連結雄部と連結雌部とを確実に連結できる。また、部品数が減少するため、製造コストを低減でき、製造工程を簡略化できる。
　【０００９】
　【実施例】
　本発明の電気掃除機の接続装置の一実施例を構成する電気掃除機の吸込口本体を図面に基づいて説明する。
　【００１０】
　図２において、１１は進行方向に対して横長矩形状の吸込口本体で、この吸込口本体１１は、ケース体としての下部本体ケース１２と、この下部本体ケース１２の上に結合固定されるケース体としての上部本体ケース１３とからなり、これら上下部本体ケース１２，１３の前面を含む周面に沿ってバンパ１４を挟持している。
　【００１１】
　そして、吸込口本体１１には、進行方向側である前側に略左右方向に横長の吸込室２１が区画形成されるとともに、後側に吸込室２１に連通する風路室２２と、この風路室２２の一端側に位置する電動機室２３と、この風路室２２の他端側に位置する制御室２４が区画形成されている。さらに、図示しない床面と対向する吸込口本体１１の下面に、吸込室２１の吸込口２５が開口形成されている。
　【００１２】
　また、前記吸込口本体１１の後部中央には、図８および図９に示すように、連結雄部としての連通管３２が設けられている。この連通管３２は、図２に示すように、一端側に吸込室２１内に向かってらっぱ状に拡開した連通部３１を形成し、この連通部３１の左右側面に略垂直に回動軸３３を形成している。そして、吸込口本体１１の左右方向に垂直に面する側端面に回動軸３３の先端が軸支されて、所定角度に回動自在に取り付けられている。さらに、他端側には吸込口本体１１から後側外方へ突出した円筒形状の挿入部としての連結筒部３６が形成され、この連結筒部３６には外周面に環状に溝部３４が形成され、この溝部３４の縁より先端側に径大に環状の係止突部３５が形成されている。また、連結筒部３６の基端には、円形状に鍔部３７が連結筒部３６の突出方向側に開口するように突出形成されている。そして、この連通管３２は、前端部が風路室２２の内部に位置し前記吸込室２１の略中央部に対向し、この吸込室２１に風路室２２を介して連通している。
　【００１３】
　そして、回動軸３３，３３は円筒状に形成され、同軸上に円柱形状の挿通口３３ａ，３３ａが電動機室２３および制御室２４に連通するように形成されている。
　【００１４】
　一方、吸込口本体１１から後側外方へ突出した連通管３２の後端部には、図１ないし図９に示すように、連結雌部としての屈曲した接続管３９の前端部が連通管３２の鍔部３７に面一となるように当接して連結されている。
　【００１５】
　そして、この接続管３９は、上面を開口した本体部３９ａと、この本体部３９ａの上面開口を閉塞する下面を開口した蓋体部３９ｂとよりなっている。また、本体部３９ａは長手方向に沿って円筒状の風路管４１を有し、この風路管４１の上面に端子ピン４２を固定する端子台４３と、端子ピン４２に接続される図示しないリード線を固定する固定爪部４４が形成されている。さらに、本体部３９ａは、風路管４１の一端に、連通管３２の連結筒部３６を回転自在に嵌合する円筒形状の接続部４５が形成されている。そして、この接続部４５には、左右方向に対向し、連通管３２の連結筒部３６の溝部３４に対応して位置する円周方向に細長い長方形状の開口部としての通孔４６を２つ形成している。これら通孔４６それぞれは、連通管３２の連通筒部３６が接続部４５に挿入された際に、この連通筒部３６の溝部３４に連通する。
　【００１６】
　また、蓋体部３９ｂには、接続部４５の通孔に対応する位置の下面左右両側に下方に突出する係止部４７が２つ形成されている。そして、この係止部４７の内側面は、連通管３２の連結筒部３６の溝部３４の周面に摺動可能に当接する凹弧状に切り欠かれた摺動面４８が形成されている。さらに、一方の係止部４７の基部には、リード線が係止部４７の角部に当接して損傷することを防止するために、下方にコ字状の壁状に突出する保護壁部４９が形成されている。
　【００１７】
　そして、接続管３９は、蓋体部３９ｂの係止部４７が本体部３９ａの接続部４５の通孔４６を挿通して連通管３２の連結筒部３６の溝部３４に係合されて係止突部３５に係止され、端子ピン４２を取り付けた図示しないリード線が配設された本体部３９ａの上面を覆うように蓋体部３９ｂが接合されて、これら本体部３９ａと蓋体部３９ｂとの間に形成されリード線を収容させる収容空間を閉塞させ、蓋体部３９ｂの上面に穿設されたねじ穴５０を介して本体部３９ａの雌ねじ孔５１にねじ止めされて接合形成され、連通管３２の連結筒部３６に回転自在に取り付けられている。
　【００１８】
　また、接続管３９は、図示しない延長管を介してホースに着脱自在に接続され、さらに掃除機本体に接続する。そして、吸込室２１は、風路室２２、連通管３２、接続管３９、図示しない延長管およびホースを介して掃除機本体の集塵室に連通する。
　【００１９】
　また、吸込室２１には、回転ブレード５２が、長手方向の両端部を、吸込室２１の長手方向の両端部に設けた軸受５２ｂにより回転自在に軸支された状態で取り付けられている。そして、この回転ブレード５２には、ゴムなどからなる複数枚の板状のブレード部５２ａがスパイラル状に突設されており、このブレード部５２ａの先端部は、例えば板の間などの平坦な形状の床面には接触せず、例えば絨毯や畳などの表面に凹凸のある形状の床面には接触するように、吸込口２５から僅かに下方に突出した状態で設けられている。
　【００２０】
　さらに、吸込口２５の後側には、下面に向かって開口した一対の矩形状の開口部５３が形成されており、各開口部５３に臨んで、それぞれ回転体としての略円柱形状の走行輪５４が取り付けられている。そして、これらの走行輪５４は、回転軸であるシャフト５５を介して風路室２２の両側にそれぞれ軸支されており、これらの走行輪５４の外周面が、例えば板の間などの平坦な形状の床面には接触せず、例えば絨毯や畳などの表面が盛り上がる材質の床面には接触するように、各開口部５３を介して下部本体ケース１２の下面より僅かに突出した状態で設けられている。
　【００２１】
　また、吸込口本体１１の前後部の両側端近傍には、それぞれ、下部本体ケース１２の下面より突出する状態で、略円柱形状の補助輪５６が回転自在に軸支されており、吸込口本体１１は、これらの補助輪５６によって床面上を前後動し得るようになっている。
　【００２２】
　また、電動機室２３には、回転ブレード５２および走行輪５４を回転させる、正逆回転自在の電動機５８が配設されている。
　【００２３】
　そして、この電動機５８の出力軸、走行輪５４のシャフト５５の一端部、および、回転ブレード５２の一端部には、それぞれプーリ５９，６０，６１が軸着されており、これらのプーリ５９，６０，６１に、動力伝達用のベルト６２が掛け回されて、走行輪５４は進行方向に対して正回転となるように、かつ、回転ブレード５２は進行方向に対して逆回転となるように、電動機５８からの出力がそれぞれ伝達されるようになっている。
　【００２４】
　さらに、制御室２４には、進行方向を検出する進行方向検出手段６３と、この進行方向検出手段６３から出力される検出信号を判断して変換し、電動機５８の駆動を制御する複数の回路基板からなる制御手段６４とが配設されている。
　【００２５】
　次に、上記一実施例の動作について説明する。
　【００２６】
　上下部本体ケース１２，１３に回動自在に軸支され吸込室２１に連通する連通管３２の一端に、外周面に環状に溝部３４を形成し、この溝部３４の縁より先端側に径大に環状の係止突部３５を形成する吸込口本体１１から後側外方へ突出した円筒形状の連結筒部３６を設ける。また、一面を開口する本体部３９ａに開口を閉塞する蓋体部３９ｂを接合してなる接続管３９の蓋体部３９ｂに、本体部３９ａとの接合方向に突出する係止部４７を設け、さらに、本体部３９ａの連通管３２の連結筒部３６を嵌合する接続部４５に、係止部４７の接合方向に対応して通孔４６を形成する。
　【００２７】
　そして、吸込口本体１１の組み立てにおける連通管３２と接続管３９との結合において、連通管３２の連結筒部３６を本体部３９ａの接続部４５に挿入させて嵌合して、この接続部４５の通孔４６に連通管３２の連結筒部３６の溝部３４を連通させる。
　【００２８】
　この状態で、蓋体部３９ｂの係止部４７を、本体部３９ａの接続部４５の通孔４６を挿通させて連通管３２の連結筒部３６の溝部３４に係合して係止突部３５に係止し、本体部３９ａの上面を覆うように蓋体部３９ｂを装着して、蓋体部３９ｂの上面に穿設されたねじ穴５０を介して本体部３９ａの雌ねじ孔５１にねじ止めして接合し、これら本体部３９ａと蓋体部３９ｂとの間に形成される収容空間が閉塞されるとともに、連通管３２の連結筒部３６に接続管３９を回転自在に取り付ける。
　【００２９】
　このため、従来のように係止部材を必要とせず、本体部３９ａとの間に形成されるリード線収容用の収容空間を閉塞する蓋体部３９ｂをこの本体部３９ａに装着させるのみで、接続管３９と連通管３２とを回動自在に連結できるから、組み立ておよび保守点検が容易にできるとともに、接続管３９と連通管３２とを確実に連結できる。
　【００３０】
　また、部品数を減少できるため、製造コストを低減でき、製造工程を簡略化できる。さらに、接続管３９と連通管３２とを連結する係止部４７が接続管３９の蓋体部３９ｂに一体的に設けたことにより、接続管３９の回動を繰り返しても、連通管３２の係止突部３５に係止される係止部４７が外れることなく、確実に接続管３９を連通管３２に連結できる。
　【００３１】
　なお、本実施例において、キャニスタ型の電気掃除機の吸込口本体１１について説明したが、ホース同士の接続などのいずれの管形状の接続に適用できる。
　【００３２】
　また、係止部４７を接続管３９の蓋体部３９ｂに設け、連通管３２に嵌合し通孔４６を有する接続部４５を接続管３９の本体部３９ａに設けて説明したが、逆に設けてもでき、また、通孔４６が上下方向に位置し、左右方向より蓋体部３９ｂと本体部３９ａとを接合し、左右方向より係止部４７を通孔４６を介して連通管３２の係止突部３５に係止させてもできる。
　【００３３】
　また、接続管３９の本体部３９ａの接続部４５を円筒形状に形成して説明したが、連通管３２の連結筒部３６を接続管３９が回動自在に連結できる形状であれば、壁状などに形成したものなどでもできる。
　【００３４】
　【発明の効果】
　本発明の電気掃除機の接続装置によれば、連結雄部の挿入部を連結雌部の本体部の接続部に挿入させて、この接続部の内面を連通雄部の挿入部に回転自在に当接させれば、この本体部の開口部が連結雄部の挿入部に設けた溝部に連通し、この状態で、この本体部に連結雌部の蓋体部を装着すれば、この本体部と蓋体部との間の収容空間が閉塞され、この蓋体部の係止部が本体部の開口部を挿通して連結雄部の挿入部の溝部を係止するため、本体部との間の収容空間を閉塞する蓋体部をこの本体部に装着させるのみで、連結雄部と連結雌部とを回動自在に連結できるから、組み立ておよび保守点検が容易にできるとともに、連結雄部と連結雌部とを確実に連結でき、また、部品数を減少できるため、製造コストを低減でき、製造工程を簡略化できる。
【図面の簡単な説明】
　【図１】
　本発明の接続装置の一実施例を示す電気掃除機の吸込口本体の連通管と接続管との連結状況を説明する分解斜視図である。
　【図２】
　同上吸込口本体の一部を切り欠いた平面断面図である。
　【図３】
　同上接続管の蓋体部の周方向の断面図である。
　【図４】
　同上一部を切り欠いた平面図である。
　【図５】
　同上一部を切り欠いた軸方向の断面図である。
　【図６】
　同上接続管の本体部の平面図である。
　【図７】
　同上側面図である。
　【図８】
　同上連通管の平面図である。
　【図９】
　同上側面図である。
　【図１０】
　従来の接続装置の一実施例を示す電気掃除機の吸込口本体の連通管と接続管との連結状況を説明する分解斜視図である。
　【符号の説明】
　３２　　　連結雄部としての連通管
　３４　　　溝部
　３６　　　挿入部としての連結筒部
　３９　　　連結雌部としての接続管
　３９ａ　　本体部
　３９ｂ　　蓋体部
　４５　　　接続部
　４６　　　開口部としての通孔
　４７　　　係止部